(57)【要約】      （修正有）【課題】装置本体内に収納保持されたディスクのセンターとターンテーブルの軸心とを一致させ、ターンテーブルにディスクを確実に受け渡すことができるようにすること。【解決手段】上方に移動するディスクＤのセンター孔Ｄ−１を通すように再生位置修正手段と軸線を一致させて装置本体の天板に垂下させた円筒部材５９とを備え、この円筒部材の先端部５９ａを先細まりに形成したもので、ディスクのセンター孔Ｄ−１に多少位置ずれが生じていても確実に円筒部材５９に係合させてセンターずれを修正することができる。【選択図】図１１
2008041162.tif 000002
【特許請求の範囲】
【請求項１】
装置本体内に複数枚のディスクを収納保持し、選択されたディスクと該選択されたディスクより上にあるディスクを上方へ、下にあるディスクを下方に移動させて上下に二分割するディスク保持手段と、一端部を前記装置本体内に回動可能に支持させ、未再生時は側板に近接する退避位置に退避させ、再生時は前記選択されたディスクと下方に移動させたディスクとの間に進入して該選択されたディスクをターンテーブルに載置して再生するディスク再生手段と、前記ディスク再生手段の再生位置を修正するように装置本体の底板上に設けられた再生位置修正手段と、前記上方に移動するディスクのセンター孔を通すように前記再生位置修正手段と軸線を一致させて前記装置本体の天板に垂下させた円筒部材とを備え、前記円筒部材の先端部を先細まりに形成したディスク装置。
【請求項２】
円筒部材の先細まりの先端径は、ターンテーブルのディスク誘い込み突起部の先端径より小径としたことを特徴とする請求項１記載のディスク装置。
【発明の詳細な説明】
【技術分野】
【０００１】
この発明は、ディスク装置に関し、特に装置本体内に複数枚のディスクを収納保持し、その中から選択したディスクをターンテーブルに載置して再生するディスク装置に関するものである。
【背景技術】
【０００２】
この種のディスク装置は、装置本体に対してディスクを出し入れする動作、および収納保持されている複数枚のディスクの中から希望するディスクを選択する動作等の妨げとならないように、ターンテーブルおよびディスクの情報を読み取るピックアップを備えたディスク再生手段は、一端側を装置本体内に回動可能に支持され、未再生時は側板に近接する退避位置に退避させている。そして、再生時は退避位置より再生位置に移動し、センターリング位置を決めて保持されているディスクをターンテーブルへ移行させて載置する。
【０００３】
一方、特許文献１に示されるように、ディスク移送機構が装置本体から引き出された位置と装置本体の内部に引き込まれた位置との間を水平移動するトレーと、このトレーに設けられてディスクが載置されるディスクホルダーとを有し、トレーが水平移動してディスクホルダーに載置されたディスクのセンター孔が固定側に設けられたターンテーブルの直前位置になると、ディスクホルダーがターンテーブルに向かって下降して、ターンテーブルにディスクの受け渡しを行い、ターンテーブルとクランパとでディスクを挟持するディスク移送機構がある。
【０００４】
【特許文献１】特開平１１-２１３５１０号公報
【発明の開示】
【発明が解決しようとする課題】
【０００５】
従来のディスク装置は以上のように構成されているので、例えば、外径の小さなディスクを装置本体に挿入した場合や、振動によりディスクの保持位置が移動した場合、センターずれを起こしたままターンテーブル上に載置することになり、ターンテーブルの誘い込み突起部以上のずれがあると、ディスクをターンテーブル上に載置することができないという課題があった。また、特許文献１に示されたディスク移送機構は、トレーの位置精度を高めることでターンテーブルへの着脱精度を向上させているが、ディスク自体の位置精度を向上させているものではない。
【０００６】
この発明は上記のような課題を解消するためになされたもので、装置本体内に収納保持されたディスクのセンターとターンテーブルの軸心とを一致させ、ターンテーブルにディスクを確実に受け渡すことができるようにすることを目的とする。
【課題を解決するための手段】
【０００７】
この発明に係るディスク装置は、装置本体内に複数枚のディスクを収納保持し、選択されたディスクと該選択されたディスクより上にあるディスクを上方へ、下にあるディスクを下方に移動させて上下に二分割するディスク保持手段と、一端部を前記装置本体内に回動可能に支持させ、未再生時は側板に近接する退避位置に退避させ、再生時は前記選択されたディスクと下方に移動させたディスクとの間に進入して該選択されたディスクをターンテーブルに載置して再生するディスク再生手段と、前記ディスク再生手段の再生位置を修正するように装置本体の底板上に設けられた再生位置修正手段と、前記上方に移動するディスクのセンター孔を通すように前記再生位置修正手段と軸線を一致させて前記装置本体の天板に下向きに設けた円筒部材とを備え、前記円筒部材の先端部を先細まりに形成したものである。
【発明の効果】
【０００８】
この発明によれば、装置本体の天板に垂下させて設けた円筒部材の先端部を先細まりに形成した構成であるので、ディスク再生手段を退避位置から選択されたディスクと下方に移動させたディスクとの間に侵入させるために、選択されたディスクと該選択されたディスクより上にあるディスクを上方に移動させる場合、ディスクの軸線が多少ずれていてもセンター孔が円筒部材に嵌合することにより、ディスクの軸線が修正され、再生位置に移動したターンテーブルに確実にディスクを載置することができる。また、このとき、選択されたディスクとともにセンター孔を円筒部材に嵌合させた上方移動のディスクは全て同時にセンターずれを修正することができる。
【発明を実施するための最良の形態】
【０００９】
以下、この発明の実施の形態について図を参照して説明する。
実施の形態１．
先ず、実施の形態１の構成の概要を図面について説明する。ディスク装置１は、底板１１ａ、左右の側板１１ｂ，１１ｃ、前板１１ｄ、後板１１ｅとからなる装置本体１１と、この装置本体１１の上面を覆う天板１１ｆとで構成されている。この装置本体内には、ディスクＤを再生するディスク再生手段２、ディスクＤを装置本体内に出し入れするディスク搬送手段３、複数枚のディスクＤを収納保持するディスク保持手段５を備えている。
ディスク再生手段２は、図２に示すように、一端側を回動軸１２によって底板１１ａに回動自在に軸支した回動ベース８と、この回動ベース８上にオイルダンパ（図示せず）を介して保持された再生ベース７とを有し、この回動ベース８はリンク機構（図示せず）で退避位置側に回動するように付勢され補助されている。
【００１０】
ディスク保持手段５は図２〜図８に示すように、三日月形に形成した複数枚のトレー５１ａ〜５１ｎと、このトレーを所定間隔毎に保持するとともに、上下動させる複数本の柱体５２ａ〜５２ｎと、それぞれの柱体５２ａ〜５２ｎの上端部に取り付けられたギア５２ａ−１（柱体５２ｂ，５２ｎのギアは図示せず）が噛み合うように、天板１１ｆに回転可能に取り付けた大径ギア５８と、各柱体と並設されて装置本体１の底板１１ａと天板１１ｆ間に設けられたガイド柱６２ａ〜６２ｎからなる。トレー５１ａ〜５１ｎにはそれぞれ外周の先端部と中央部とに柱体５２ａ〜５２ｎを抱持する抱持部材５３ａ〜５３ｎが設けられている。この抱持部材５３ａ〜５３ｎには柱体５２ａ〜５２ｎを抱持する凹部５３ａ−１〜５３ｎ−１とガイド柱６２ａ〜６２ｎを貫通させる穴５３ａ−２〜５３ｎ−２およびディスクＤの周縁を受ける受け部材５６とが形成され、凹部５３ａ−１〜５３ｎ−１内には柱体の螺旋溝５４ａ、５４ｂに係合するピン５５ａ−１〜５５ｎ−１が形成されている。また、受け部材５６にはディスクＤの周縁をトレー面に押圧支持するバネ部材５７が設けられている。
【００１１】
柱体５２ａ〜５２ｎはそれぞれ、上下端面の突起部５２ａ−２、５２ｂ−２、５２ｎ−２（天板側の突起部は図示せず）を天板１１ｆの孔１１ｆ−１と底板１１ａの孔（図示せず）に係合させて回動可能に支持されている。そして、各柱体５２ａ〜５２ｎの上下部にはそれぞれトレー５１ａ〜５１ｎを一定間隔毎に保持できるように螺旋溝５４ａが形成されており、中間部にはディスク再生手段２が出入りするための空間を選択されたディスクＤと下方に移動させたディスクＤとの間に形成するように、柱体の１回転で上下の螺旋溝５４ａを接続する螺旋溝５４ｂが形成されている。また、押圧部材６３は柱体５２ｂおよびガイド柱６２ａ〜６２ｎに貫通支持され、引っ張りバネ６４で上方に付勢され、下方の螺旋溝５４ａに係合するトレーを受けて常時上方へ押圧させて該トレーの螺旋溝５４ｂに対する係合を確実にしている。
【００１２】
再生ベース７には、その先端部の上面にターンテーブル４、このターンテーブル４に載置されたディスクＤの半径方向に移動してディスクＤの信号を読取る光学ピックアップ６が設けられている。また、回動ベース８にはロックプレート１４が取付けられており、その先端には再生ベース７をロックするロック爪１４ａを有している。
【００１３】
装置本体１の構成要素である右側板１１ｃは、ディスク再生手段２から引出されるＦPＣ（Ｆｌｅｘｉｂｌｅ  Ｐｒｉｎｔｅｄ  Ｃｉｒｃｕｉｔ）を底板１１ａの裏面に取付けられたサーボ基板に接続するために該底板と別体に構成されている。
【００１４】
以下、実施の形態１の動作の概要を図面について説明する。まず、図１に示す装置本体１の前板１１ｄに設けたディスクＤ出し入れ口１１ｄ−１から再生を希望するディスクＤをディスク搬送機構部３（正逆転するローラ）により装置本体１に挿入すると、このディスクＤは図２に示すように柱体５２ａ〜５２ｎ（図６参照）の中間部の螺旋溝５４ｂにピン５５が係合する１つのトレー５１ａに乗る。この状態で大径ギア５８が駆動されると、これに噛み合う小径ギア５２ａ−１（柱体５２ａに対するもののみを図示）を介して、柱体５２ａ〜５２ｎが同期回転する。このため、各柱体５２ａ〜５２ｎの螺旋溝５４ｂに噛み合うピン５５ａ−１、５５ｂ−１、５５ｎ−１を介してトレー５１ａが天板１１ｆ側に上昇し、そのピン５５ａ−１、５５ｂ−１、５５ｎ−１が上側の螺旋溝５４ａに入ることにより、ディスクＤをトレー５１ａに押圧支持する。
【００１５】
一方、装置本体１内に予め収納保持された複数枚のディスクＤの中から希望する１枚を選択するときは、その選択されたディスクＤを支持するトレーのピン５５ａ−１、５５ｂ−１、５５ｎ−１が上側の螺旋溝５４ａに係合しているときは、その選択されたディスクＤより下にあるディスクＤを支持するトレーのピン５５ａ−１、５５ｂ−１、５５ｎ−１が下側の螺旋溝５４ａに係合するように送られ、選択されたディスクＤと該選択されたディスクＤより下にあるディスクＤとの間にディスク再生手段２の挿入空間を形成する。また、選択されたディスクＤを支持するトレーのピン５５ａ−１、５５ｂ−１、５５ｎ−１が下側の螺旋溝５４ａに係合しているときは、その選択されたディスクＤを支持するトレーを含めて上側のトレーを各柱体５２ａ〜５２ｎの中間の螺旋溝５４ｂを介して上側の螺旋溝５４ａに係合するように移動させる。この場合、螺旋溝５４ｂは下側の螺旋溝５４ａとは１箇所のみで連通接続されているため、トレーのピン５５ａ−１、５５ｂ−１、５５ｎ−１が螺旋溝５４ｂに係合した後は、柱体が１回転するまでは他のトレーのピン５５ａ−１、５５ｂ−１、５５ｎ−１は螺旋溝５４ｂに係合することができない。つまり、柱体の回転中、螺旋溝５４ｂの領域には常に１枚のトレーのみが位置することになる。
【００１６】
そして、図９に示すように、中間の螺旋溝５４ｂの上端に達したトレー５１ａが上側の螺旋溝５４ａの領域に入ると、トレー−５１ａは図１０の状態になり該トレーに支持されているディスクＤは、そのセンター孔が円筒部材５９に嵌合することによりセンター合わせが行われる。つまり、図１１（ａ）に示すように、トレーの上昇時の振動を受けてディスクＤが軸ずれを起こしても、円筒部材５９の先端部が先細まりに形成されているため、１１（ｂ）に示すように、孔縁と先細まり面との係合によってディスクＤのセンター出しが行われ、図１１（ｃ）に示すように、後述するターンテーブル４との軸線合わせが行われ、ディスクＤを確実にターンテーブル４に載置することができる。
【００１７】
上記のようにして、希望するディスクＤを選択すると、この選択したディスクＤと該ディスクＤより下側のディスクＤとの間には、図１０に示すように螺旋溝５４ｂの高さ分の空間Ｗができる。
【００１８】
この状態において、上記の一連の動作に引き続いて起動される駆動源（図示せず）の駆動力を受けて、右側板と平行する退避位置に退避しているディスク再生手段２が回動軸１２を支点に回動して、図１２、図１３に示すように選択したディスクＤの下方に移動する。この移動したディスク再生手段２は装置本体１の底板１１ａ上に設けられた再生位置補正部材１９に係合することにより、再生位置が正しく規定される。この状態において、大径ギア５８が逆回転し、小径ギア５２ａ−１を介して図１４、図１５に示すように、選択されたディスクＤを支持するトレーが螺旋溝５４ｂに沿って降下することにより、このトレー５１ａに支持されたディスクＤのセンター孔がターンテーブル４の誘い込み突起部４ａ−１にガイドされて、確実にターンテーブル４に載置される。一方、柱体５２ａは回転を続けているので、トレー５１ａは下降を続け、図１６に示すようにディスクＤから離れる。
【００１９】
この状態において、ターンテーブル４を回転させ、ピックアップ６をディスクＤの半径方向に移動させることにより再生を行うことができる。
【００２０】
以上のようにこの実施の形態１によれば、装置本体１の構成要素の１つである天板１１ｆに垂下させた円筒部材５９の先端５９ａを先細まりに形成したので、装置本体内に収納保持されたディスクＤの中から希望するディスクＤを選択するときに、この選択したディスクＤおよび該選択したディスクより上方に位置するディスクＤのセンター孔に多少位置ずれが生じていても確実に円筒部材に係合させてセンターずれを修正することができる。この結果、この選択されたディスクＤの下方に移動してきたターンテーブルへのディスクＤの受け渡しが確実に行われ、再生失敗を生じることがない。
【００２１】
また、円筒部材５９の先細まりの先端径は、ターンテーブル４のディスク誘い込み突起部４ａの先端径より小径としたので、ディスクＤをターンテーブル上に載置する直前に該ディスクのセンター孔に円筒部材５９を係合させることにより、ディスクＤのターンテーブル４への載置精度をより高めることができる。
【図面の簡単な説明】
【００２２】
【図１】この発明のディスク装置の全体を示す外観斜視図である。
【図２】前板、右側板、天板を取り外して内部の要部を示した斜視図である。
【図３】装置本体内にディスクを１枚挿入した状態を右側板、天板を取り外して示す斜視図である。
【図４】トレーにディスクが載置された状態を示す斜視図である。
【図５】板バネによりディスクをトレーに押圧支持させた状態を示す斜視図である。
【図６】ディスク保持手段を示す斜視図である。
【図７】ディスクを昇降させる機構部の斜視図である。
【図８】その機構部の一部を装置本体の底板から取り外した状態を示す斜視図である。
【図９】ディスクを選択した状態において前板を取り外して前面より装置本体内部を見た図である。
【図１０】図９の選択されたディスクを上昇させて該ディスクの中心孔を天板から垂下された円筒部材に嵌合させた状態において前板を取り外して前面より装置本体内部を見た図である。
【図１１】ディスクの中心孔を天板から垂下された円筒部材に嵌合させてセンターずれを修正する過程の説明図である。
【図１２】ディスク再生手段を退避位置より再生位置に移動させた状態を右側板、天板を取り外して示す斜視図である。
【図１３】図１２図の状態で前板を取り外して装置本体内部を示す正面図である。
【図１４】ディスク再生手段のターンテーブル上に選択されたディスクを載置した状態を前板、右側板、天板を取り外して示す斜視図である。
【図１５】ディスク再生手段のターンテーブル上に選択されたディスクを載置した状態を前板、右側板、天板を取り外して装置本体内部を示す正面図である。
【図１６】ターンテーブル上に載置したディスクからトレーを引き離した再生状態を示す同上図である。
【符号の説明】
【００２３】
１  装置本体、  ２  ディスク再生手段、  ３  ディスク搬送機構部、  ４  ターンテーブル、  ５  ディスク保持手段 、  ６  ピックアップ、  ７  再生ベース、  ８  回動ベース、  １２  回動軸。
【図１】
2008041162.tif 000003
【図２】
2008041162.tif 000004
【図３】
2008041162.tif 000005
【図４】
2008041162.tif 000006
【図５】
2008041162.tif 000007
【図６】
2008041162.tif 000008
【図７】
2008041162.tif 000009
【図８】
2008041162.tif 000010
【図９】
2008041162.tif 000011
【図１０】
2008041162.tif 000012
【図１１】
2008041162.tif 000013
【図１２】
2008041162.tif 000014
【図１３】
2008041162.tif 000015
【図１４】
2008041162.tif 000016
【図１５】
2008041162.tif 000017
【図１６】
2008041162.tif 000018